(57)【要約】【課題】始動電圧を変更することなく放電灯の始動性の悪化を抑制することができる水処理装置を提供する。【解決手段】実施形態の水処理装置１は、通水管１０と、複数の放電灯２０と、始動補助部４０とを具備する。通水管１０は、遮光性を有し被処理水を通水する。複数の放電灯２０は、通水管１０内において紫外線を放射する。始動補助部４０は、複数の放電灯２０が非点灯時から点灯を開始するまでの間において、複数の放電灯２０のうち少なくとも１つの放電灯２２（２０）に光を照射する。【選択図】図１
2016064340.tif 000002
【特許請求の範囲】
【請求項１】
遮光性を有し被処理水を通水する通水管と；
前記通水管内に配置され前記通水管内に紫外線を放射する複数の放電灯と；
前記複数の放電灯が非点灯時から点灯を開始するまでの間において、前記複数の放電灯のうち少なくとも１つの放電灯に光を照射する始動補助部と；
を具備する水処理装置。
【請求項２】
前記始動補助部は、前記通水管の外部の光を前記通水管内へ入射させる採光部を有する
請求項１に記載の水処理装置。
【請求項３】
前記始動補助部は、紫外線を透過しない前記採光部を有する
請求項２に記載の水処理装置。
【請求項４】
前記始動補助部は、前記通水管内において、前記複数の放電灯のうち１つの放電灯の近傍であって、少なくとも前記１つの放電灯に光を照射する位置に配置される前記採光部を有する
請求項２又は請求項３に記載の水処理装置。
【請求項５】
前記始動補助部は、光源として固体発光素子またはフィラメントを具備した電球を有する
請求項１〜４のいずれか一項に記載の水処理装置。
【請求項６】
前記複数の放電灯は、中圧紫外線ランプを含む
請求項１〜５のいずれか一項に記載の水処理装置。
【請求項７】
船舶に搭載され、前記船舶内に保持されているバラスト水を前記船舶外へ放出する際の水処理に用いられる
請求項１〜６のいずれか一項に記載の水処理装置。
【発明の詳細な説明】
【技術分野】
【０００１】
本発明の実施形態は、紫外線を照射する放電灯を用いた水処理装置に関する。
【背景技術】
【０００２】
従来、紫外線を照射する放電灯を用いた水処理装置が知られている。紫外線を照射する放電灯を用いた水処理装置は、被処理水が通過する部分から紫外線が漏れない様、密閉された構成が多い。このような水処理装置は、外部からの光が入らない状態（以下、「暗黒状態」とする）になるため、消灯後に放電灯内の熱電子が消滅した場合、放電灯の始動性が悪くなる。このような水処理装置においては、外部から光を入れることで、放電灯内の電子が増加し、放電灯の始動性を一定まで改善することが可能になる。
【０００３】
ところで、紫外線を照射する放電灯は、印加される電圧と時間の積で始動性が決まり、一般的には、印加される電圧が上がることで点灯する。しかし、放電灯内の電子が極端に少ない、もしくは無い場合は、安定器側で設計された始動電圧では足りず、点灯しないことがある。特に水処理装置内は暗黒状態となるため、放電灯の点灯頻度が低い場合、放電灯内部の電子がなくなることで、始動性が悪くなることがある。
【先行技術文献】
【特許文献】
【０００４】
【特許文献１】特開２０１２−２５０１６６号公報
【発明の概要】
【発明が解決しようとする課題】
【０００５】
上述したような場合、通常は、始動電圧を上げるという対策が採られている。しかしながら、始動電圧を上げるという対策に代えて、放電灯の始動性の悪化を抑制することができる他の対策が要求されている。
【０００６】
本発明は、始動電圧を変更することなく放電灯の始動性の悪化を抑制する水処理装置を提供することを目的とする。
【課題を解決するための手段】
【０００７】
本実施形態の水処理装置は、通水管と、複数の放電灯と、始動補助部とを具備する。通水管は、遮光性を有し被処理水を通水する。複数の放電灯は、通水管内において紫外線を放射する。始動補助部は、複数の放電灯が非点灯時から点灯を開始するまでの間において、複数の放電灯のうち少なくとも１つの放電灯に光を照射する。
【発明の効果】
【０００８】
本発明によれば、始動電圧を変更することなく放電灯の始動性の悪化を抑制する水処理装置を提供することができる。
【図面の簡単な説明】
【０００９】
【図１】図１は、実施形態１に係る水処理装置を示す断面図である。
【図２】図２は、実施形態１に係る水処理装置を示す他の断面図である。
【図３】図３は、実施形態１に係る水処理装置の水の流れを模式的に示す断面図である。
【図４】図４は、実施形態２に係る水処理装置を示す断面図である。
【図５】図５は、実施形態２に係る水処理装置を示す他の断面図である。
【図６】図６は、実施形態１に係る水処理装置を船舶のバラスト水処理に用いた例を示す概念図である。
【発明を実施するための形態】
【００１０】
以下で説明する実施形態１及び実施形態２に係る水処理装置１，２は、遮光性を有し被処理水を通水する通水管１０，１１０と、通水管１０，１１０内において紫外線を放射する複数の放電灯２０と、複数の放電灯２０が非点灯時から点灯を開始するまでの間において、複数の放電灯２０のうち少なくとも１つの放電灯２２（２０）に光を照射する始動補助部４０，６０とを具備する。
【００１１】
また、以下で説明する実施形態１及び実施形態２に係る水処理装置１，２において、始動補助部４０，６０は、通水管１０，１１０の外部の光を通水管１０，１１０内へ入射させる採光部としての導光棒４１または窓６１を有する。
【００１２】
また、以下で説明する実施形態１及び実施形態２に係る水処理装置１，２において、始動補助部４０，６０は、紫外線を透過しない採光部としての導光棒４１または窓６１を有する。
【００１３】
また、以下で説明する実施形態１に係る水処理装置１において、始動補助部４０は、通水管１０内において、複数の放電灯２０のうち１つの放電灯の近傍であって、少なくとも１つの放電灯２２（２０）に光を照射する位置に配置される採光部としての導光棒４１を有する。
【００１４】
また、以下で説明する実施形態１及び実施形態２に係る水処理装置１，２において、始動補助部４０は、光源４２，６２として固体発光素子またはフィラメントを具備した電球を有する。
【００１５】
また、以下で説明する実施形態１及び実施形態２に係る水処理装置１，２において、複数の放電灯２０は、中圧紫外線ランプを含む。
【００１６】
また、以下で説明する実施形態１及び実施形態２に係る水処理装置１，２は、船舶７０に搭載され、船舶７０内に保持されているバラスト水を船舶７０外へ放出する際の水処理に用いられる。
【００１７】
［実施形態１］
まず、本発明の実施形態１に係る水処理装置１を図面に基いて説明する。図１は、実施形態１に係る水処理装置１を示す断面図、具体的には、後述する通水管１０の管軸の方向（以下、「管軸方向」とする）の断面図である。図２は、実施形態１に係る水処理装置１を示す他の断面図、具体的には、後述する通水管１０の管軸に直交する断面図である。
【００１８】
本実施形態に係る水処理装置１は、通水管１０と、放電灯２０と、保護管３０と、始動補助部４０と、清掃機構５０とを具備する。通水管１０は、遮光性を有し被処理水を通水する。通水管１０には、例えば、ステンレスなどの材料が用いられる。
【００１９】
図１，２に示すように通水管１０は、外径が円柱状であって内部は空洞である通水部１１を有する。そして、通水部１１の周壁における管軸方向の両端部には、流入部１２と流出部１３がそれぞれ突設される。図１，２に示す例においては、流入部１２と流出部１３とは、向きを揃えて突設される。ここで、流入部１２及び流出部１３は、例えば、中空円筒状に形成され、通水部１１内と連通する。また、流入部１２及び流出部１３は、水を流入または流出するための配管と連結される。すなわち、始動補助部４０から入射する光を除いて、通水管１０外から通水管１０内には光が入射しない。
【００２０】
ここで、図３を用いて本実施形態に係る水処理装置１における水の流れを説明する。図３は、水処理装置１の水の流れを模式的に示す断面図である。なお、図３においては、水処理装置１における通水管１０内の水の流れを説明するために、始動補助部４０及び清掃機構５０の記載を省略した図を示す。まず、図３に示す例において、水（被処理水）は、通水管１０の流入部１２から通水管１０内へ流入する。そして、水（被処理水）は、通水管１０の通水部１１を管軸方向に流れる。このとき、通水管１０内を流れる水（被処理水）は、後述する複数の放電灯２０により殺菌などの浄化処理がされるが、詳細は後述する。その後、通水部１１を通過した水（処理水）は、流出部１３から通水管１０外へ流入する。つまり、通水管１０を流れる水は、図３中の矢印ｆ１により模式的に示すような経路で通水管１０の中を流れる。
【００２１】
図１，２に戻って説明を続ける。水処理装置１は、通水管１０内において紫外線を放射する複数（例えば４本、６本、８本など）の放電灯２０を具備する。本実施形態においては、放電灯２０として、例えば、２００〜４００ｎｍの波長の紫外線を放射できる紫外線ランプを用いる。このような紫外線ランプは、中圧紫外線ランプと呼ばれ、点灯中の水銀蒸気圧が４０ｋＰａ以上のものである。上述のように、中圧紫外線ランプは、殺菌に有効な波長を含む紫外線を放射する。
【００２２】
図１，２に示す例において、放電灯２０は、円筒状に形成された直管形のバルブ２１を有する。また、バルブ２１は、紫外線透過性を有する直管型バルブであって、例えば、透明石英ガラス、ソーダライムガラスやホウ珪酸ガラス等が用いられる。またバルブ２１内には、アマルガムや、アルゴン、キセノンなどの希ガスが封入される。また、バルブ２１の内周面には、例えば、所定の波長の光が照射された場合に紫外線を蛍光発光する蛍光体を塗付してもよい。
【００２３】
また、図示することは省略するが、バルブ２１内の両端部に設けられた電極（フィラメント）には、例えば、トリア（二酸化トリア）を含有したタングステン等が用いられる。また、バルブ２１内の両端部に外嵌固着された口金の外端面には、上述した電極を継線する一対のリード線にそれぞれ接続される端子ピンをそれぞれ突設している。そして、放電灯２０は、例えば、上述した端子ピンから電力が供給される。なお、放電灯２０には、図示しない電源接続構造や安定器などのランプ点灯装置から電力が供給される。
【００２４】
ここから、通水管１０と複数の放電灯２０との配置関係について説明する。図１に示すように、複数の放電灯２０は、その管軸を通水管１０の管軸に沿って配置される。また、複数の放電灯２０は、通水管１０の管軸に直交する断面において均等な間隔で配置される。なお、図１，２に示す例においては、通水管１０の管軸に直交する断面における中心部には、後述する清掃機構５０の軸部５１が設けられており、複数の放電灯２０は、清掃機構５０の軸部５１と各放電灯２０との間隔が略等しくなるように配置されている。これにより、水処理装置１は、通水管１０を流れる水に均一に紫外線を照射できる。
【００２５】
また、本実施形態に係る水処理装置１においては、放電灯２０を保護する円筒状の保護管３０が設けられる。図１，２に示す例において、保護管３０は、通水管１０内において放電灯２０のバルブ２１の外周面を覆うようにバルブ２１と同軸的に配置される。保護管３０としては、紫外線を透過する材料により形成される。保護管３０には、例えば、透明石英ガラス等が用いられる。
【００２６】
ここで、図１に示すように、水処理装置１において、放電灯２０及びそのバルブ２１の外周面を覆う保護管３０は、その両端部が、通水部１１の両端面から突出して配置されてもよい。例えば、水処理装置１において、複数の放電灯２０において上述した口金等の電力を供給する部分は、通水管１０の外部に突出して配置されてもよい。一方、水処理装置１において、バルブ２１等の紫外線を放射する部分は、通水管１０内に配置される。つまり、水処理装置１は、紫外線が通水管１０外に放射されないように放電灯２０を通水管１０内に配置する。なお、保護管３０が放電灯２０全体を覆うように設けられた場合、放電灯２０全体を通水管１０内に配置してもよい。
【００２７】
水処理装置１は、複数の放電灯２０の点灯を補助する始動補助部４０を具備する。始動補助部４０は、複数の放電灯２０のうち少なくとも１つの放電灯２２（２０）に光を照射する位置に配置される。また、始動補助部４０は、採光部としての導光棒４１と光源４２とを有する。導光棒４１としては、例えば、アクリル樹脂やポリカーボネート（ＰＣ）樹脂等の透明樹脂、石英ガラスやソーダガラスやホウ珪酸ガラス等のガラスが用いられる。また、始動補助部４０は、光源４２として、例えば、ＬＥＤ（Light  Emitting  Diode）などの固体発光素子、またはフィラメントを具備した電球を有する。
【００２８】
図１，２に示す例において、導光棒４１は、１つの放電灯２２（２０）の近傍に通水管１０の管軸方向に沿って配置される。これにより、複数の放電灯２０が非点灯時から点灯を開始するまでの間において、導光棒４１により通水管１０内に入射した光が効率的に１つの放電灯２２（２０）に照射する。また、図２に示すように、通水部１１の外周付近に導光棒４１が配置されるため、通水管１０の管軸方向に直交する断面において水圧の強い中心部ではなく端部に導光棒４１が位置するため、導光棒４１は水圧の影響を受けにくい。ここで、導光棒４１は、通水管１０の通水部１１の一方の端部（図１においては右端部）において、その端部を露出して配置される。つまり、導光棒４１は、露出した端部から光を内部に入射させ、通水管１０外の光を通水管１０内へ導光する。紫外線を照射する放電灯は、例えば、暗黒状態において放電灯内の電子がなくなることで、稀に放電灯が点灯しない始動不良が発生する場合がある。そのため、水処理装置１は、始動補助部４０の導光棒４１により通水管１０外の光を通水管１０内に入射させることで始動不良の発生を抑制し、始動電圧を変更することなく放電灯２０の始動性の悪化を抑制することができる。
【００２９】
また、図１，２に示す例において、導光棒４１の露出した端部の付近には、光源４２が配置される。具体的には、導光棒４１の露出した端部に光源４２からより多く光が照射されるように配置されることが好適である。このように配置することにより、光源４２から放射された光を導光棒４１により通水管１０内に入射させることができる。これにより、複数の放電灯２０が非点灯時から点灯を開始するまでの間において、１つの放電灯２２（２０）のバルブ２１内の電子を増加させ、当該放電灯２２（２０）の始動特性の悪化を抑制することができる。
【００３０】
前述した構成の実施形態１に係る水処理装置１は、紫外線を透過しない採光部としての導光棒４１を有することにより、導光棒４１により紫外線が通水管１０外へ放射されることを防止でき、通水管１０外へ漏れる光の安全性が高まるとともに、通水管１０内の紫外線の光量の低下を抑制できる。また、光源４２に紫外線が照射されることによる、光源４２の劣化を抑制できる。なお、導光棒４１は、紫外線を吸収する材料、例えば、酸化亜鉛、酸化チタン、酸化インジウムスズなどを含有してもよい。
【００３１】
前述した構成の実施形態１に係る水処理装置１において、始動補助部４０は、通水管１０内において、複数の放電灯２０のうち１つの放電灯２２（２０）の近傍であって、少なくとも１つの放電灯２２（２０）に光を照射する位置に配置される採光部としての導光棒４１を有することにより、特定の１つの放電灯２２（２０）の始動補助を行う。これにより、導光棒４１が放電灯２０の近くへ配置され、導光棒４１の端部から入射した光が特定の１つの放電灯２２（２０）に照射されれば、搭載された複数の放電灯２０の内、１つの放電灯２２（２０）が確実に始動するため、その他の放電灯２０に対しては、最初の１つの放電灯２２（２０）の光により始動補助の役割を果たせる。このように、水処理装置１において、１つの放電灯２２（２０）が点灯すれば、当該放電灯２２（２０）から放出される電子により他の放電灯２０については連鎖的に点灯することが期待できる。
【００３２】
前述した構成の実施形態１に係る水処理装置１において、始動補助部４０は、光源４２として固体発光素子またはフィラメントを具備した電球を有することにより、始動電圧を変更することなく放電灯２０の始動性の悪化を抑制することができる。また、光源４２は、複数の放電灯２０が非点灯時または点灯開始時（例えば数秒間）にのみ点灯され、複数の放電灯２０が点灯時には消灯されてもよい。なお、光源４２としては、小電力で確実に光を放出することができる光源であることが好適であり、具体的には固体発光素子やフィラメントを具備した電球でよい。
【００３３】
また、図１，２に示す例において、複数の放電灯２０は、中圧紫外線ランプを含むことで、始動電圧を変更することなく放電灯２０の始動性の悪化を抑制することができる。
【００３４】
なお、始動補助部４０は、導光棒４１により自然光を通水管１０内へ入射させてもよい。この場合、始動補助部４０は、光源４２を有さなくてもよい。この場合、水処理装置１は、導光棒４１を用いるだけで簡易に始動特性の悪化の抑制を図ることができる。また、導光棒４１には、可視光（青〜赤色）を透過する材料を用いることで、電子発生に必要な光を通水管１０内に入射させることができる。
【００３５】
また、図１，２に示す例においては、通水管１０の管軸に直交する断面における中心部には、清掃機構５０の軸部５１が設けられる。軸部５１は、棒状であって通水管１０の管軸方向に沿って配置される。軸部５１には、連結管５２が通水管１０の管軸方向に移動自在に取り付けられている。連結管５２には、複数の放電灯２０のそれぞれに向かって延びる複数（例えば４つ）の腕部５３が一体に形成されており、各腕部５３の先端部には保護管３０の外周面の一部に接触する清掃部５４が設けられる。清掃部５４には、例えば、テフロン（登録商標）ゴム等が用いられる。このような清掃機構５０の連結管５２が通水管１０の管軸方向に移動することにより、各保護管３０に外周面に接触する清掃部５４が保護管３０の外表面に付着した汚れ等を除去する。
【００３６】
［実施形態２］
次に、実施形態２に係る水処理装置２を図面に基いて説明する。図４は、実施形態２に係る水処理装置２を示す断面図、具体的には、後述する通水管１１０の管軸の方向（以下、「管軸方向」とする）の断面図である。図５は、実施形態２に係る水処理装置２を示す他の断面図、具体的には、後述する通水管１１０の管軸に直交する断面図である。なお、図４，５において、実施形態１と同一部分には、同一符号を付して説明を省略する。
【００３７】
実施形態２に係る水処理装置２は、始動補助部６０が採光部である導光棒に代えて窓６１を有する点で実施形態１に係る水処理装置１と相違する。
【００３８】
図４，５に示すように通水管１１０は、外径が円柱状であって内部は空洞である通水部１１１を有する。そして、通水部１１１の周壁１１４における管軸方向の両端部には、流入部１１２と流出部１１３がそれぞれ突設される。図４，５に示す例においては、流入部１１２と流出部１１３とは、向きを揃えて突設される。ここで、流入部１１２及び流出部１１３は、例えば、中空円筒状に形成され、通水部１１１内と連通する。また、流入部１１２及び流出部１１３は、水を流入または流出するための配管と連結される。すなわち、始動補助部６０から入射する光を除いて、通水管１１０外から通水管１１０内には光が入射しない。
【００３９】
ここで、図４に示すように、水処理装置２において、放電灯２０及びそのバルブ２１の外周面を覆う保護管３０は、その両端部が、通水部１１０の両端面から突出して配置されてもよい。例えば、水処理装置２において、複数の放電灯２０において上述した口金等の電力を供給する部分は、通水管１１０の外部に突出して配置されてもよい。一方で、水処理装置２において、バルブ２１等の紫外線を放射する部分は、通水管１１０内に配置される。つまり、水処理装置２は、紫外線が通水管１１０外に放射されることを抑制する。なお、保護管３０が放電灯２０全体を覆うように設けられた場合、放電灯２０全体を通水管１１０内に配置してもよい。
【００４０】
水処理装置２において、始動補助部６０は、採光部としての窓６１と光源６２とを有する。窓６１には、例えば、アクリル樹脂やポリカーボネート（ＰＣ）樹脂等の透明樹脂、石英ガラスやソーダガラスやホウ珪酸ガラス等のガラスが用いられる。また、始動補助部６０は、光源６２として、例えばＬＥＤなどの固体発光素子またはフィラメントを具備した電球を有する。
【００４１】
始動補助部６０の窓６１は、複数の放電灯２０が非点灯時から点灯を開始するまでの間において、複数の放電灯２０のうち少なくとも１つの放電灯２２（２０）に光を照射する位置に配置される。窓６１は、通水部１１１の周壁１１４の一部であって１つの放電灯２２（２０）に光を照射できる位置に設けられる。例えば、窓６１は、通水部１１１の周壁１１４の一部に設けられた開口に、透光性部材を嵌め込み、接着固定することにより形成される。つまり、水処理装置２において、通水管１１０内には、窓６１を通過する光のみが入射する。
【００４２】
ここで、図４，５に示す例において、窓６１は、通水管１１０の管軸に直交する断面において１つの放電灯２２（２０）との距離が短くなるように、通水部１１１の周壁１１４に設けられる。また、窓６１は、通水部１１１の周壁１１４において通水管１１０の管軸方向の中央部に設けられる。これにより、複数の放電灯２０が非点灯時から点灯を開始するまでの間において、窓６１を通過して通水管１１０内に入射した光が効率的に１つの放電灯２２（２０）に照射する。また、図４，５に示すように、水処理装置２は、通水部１１１の周壁１１４に窓６１を設けるため、始動補助部６０は水圧の影響を受けにくい。
【００４３】
前述した構成の実施形態２に係る水処理装置２は、紫外線を透過しない採光部としての窓６１を有することにより、窓６１により紫外線が通水管１１０外へ放射されることを防止でき、通水管１１０外へ漏れる光の安全性が高まるとともに、通水管１１０内の紫外線の光量の低下を抑制できる。また、光源６２に紫外線が照射されることによる、光源６２の劣化を抑制できる。なお、窓６１は、紫外線を吸収する材料、例えば、酸化亜鉛、酸化チタン、酸化インジウムスズなどを含有してもよい。
【００４４】
前述した構成の実施形態２に係る水処理装置２において、始動補助部６０は、通水管１１０内において、複数の放電灯２０のうち１つの放電灯２２（２０）の近傍であって、少なくとも１つの放電灯２２（２０）に光を照射する位置に配置される採光部としての窓６１を有することにより、特定の１つの放電灯２２（２０）の始動補助を行う。これにより、窓６１が放電灯２０の近くへ配置され、窓６１から入射した光が特定の１つの放電灯２２（２０）に照射されれば、搭載された複数の放電灯２０の内、１つの放電灯２２（２０）が確実に始動するため、その他の放電灯２０に対しては、最初の１つの放電灯２２（２０）の光により始動補助の役割を果たせる。このように、水処理装置２において、１つの放電灯２２（２０）が点灯すれば、当該放電灯２２（２０）から放出される電子により他の放電灯２０については連鎖的に点灯することが期待できる。
【００４５】
前述した構成の実施形態２に係る水処理装置２において、始動補助部６０は、光源６２として固体発光素子またはフィラメントを具備した電球を有することにより、始動電圧を変更することなく放電灯２０の始動性の悪化を抑制することができる。具体的には、光源６２は、窓６１において通水管１１０外に露出した部分に光源６２からより多く光が照射されるように配置されることが好適である。このように配置することにより、光源６２から放射された光を窓６１により通水管１１０内に入射させることができる。また、光源６２は、複数の放電灯２０が非点灯時または点灯開始時（例えば数秒間）にのみ点灯され、複数の放電灯２０が点灯時には消灯されてもよい。なお、光源６２としては、小電力で確実に光を放出することができる光源であることが好適であり、具体的には固体発光素子やフィラメントを具備した電球でよい。
【００４６】
なお、始動補助部６０は、採光部である窓６１により自然光を通水管１１０内へ入射させてもよい。この場合、始動補助部６０は、光源６２を有さなくてもよい。この場合、水処理装置２は、通水管１１０に窓６１を設けるだけで簡易に始動特性の悪化の抑制を図ることができる。また、窓６１には可視光（青〜赤色）を透過する材料を用いることで、電子発生に必要な光を通水管１１０内に入射させることができる。
【００４７】
ここで、実施形態１に係る水処理装置１及び実施形態２に係る水処理装置２は、船舶に搭載され、船舶内に保持されているバラスト水を船舶外へ放出する際の水処理に用いられてもよい。この点について図６に基いて説明する。図６は、実施形態１に係る水処理装置１を船舶７０に搭載した模式図を示す。図６に示す例において、船舶７０のバラストタンク７１内のバラスト水は、配管７２を通り流入部１２から水処理装置１内へ流入し、紫外線による殺菌などの浄化処理がされる。そして、処理されたバラスト水は流出部１３から配管７３を経由して船舶７０外へ排水される。これにより、船舶７０内に保持されているバラスト水は、水処理装置１により殺菌などの浄化処理がされ、より安全な水として船舶７０外へ排出される。
【００４８】
なお、水処理装置１は、バラスト水をバラストタンク７１に汲みいれる、いわゆる漲水時の浄化処理の際に用いられてもよい。
【００４９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５０】
１，２  水処理装置
１０，１１０  通水管
１１，１１１  通水部
１２，１１２  流入部
１３，１１３  流出部
２０  放電灯
２１  バルブ
３０  保護管
４０  始動補助部
４１  導光棒
４２  光源
６０  始動補助部
６１  窓
６２  光源
【図１】
2016064340.tif 000003
【図２】
2016064340.tif 000004
【図３】
2016064340.tif 000005
【図４】
2016064340.tif 000006
【図５】
2016064340.tif 000007
【図６】
2016064340.tif 000008